(57)【特許請求の範囲】
【請求項１】
既設サッシ枠体に取り付ける後付サッシであって、
前記既設サッシ枠体の網戸用のレールに嵌める突条溝と、
前記既設サッシ枠体に固定する固定片と、
少なくとも２枚建てからなる内外金網戸を案内する案内片と、
を有し、
前記既設サッシ枠体は、既設上下枠を含み、
前記突条溝は、前記既設上下枠の室外方向における最も外側に設けられたレールに嵌めることで取り付け、
前記案内片は、前記突条溝から室外方向に延出し、前記内外金網戸を案内するレールを有し、
前記固定片は、前記突条溝の室内方向に延出し、前記既設上下枠に固定されることを特徴とする後付サッシ。
【請求項２】
請求項１に記載の後付サッシ枠体において、
前記突条溝は、その断面形状が略Ｕ字型であり、略Ｕ字型の折り返し部を介して前記案内片および固定片に接続され、
前記案内片は、前記内外金網戸を納めるために所定の間隔を隔てた２本のレールを有し、
前記固定片は、前記既設上下枠に重合するものであり、ネジ止めやビス止め等の手段により前記既設上下枠に固定されることを特徴とする後付サッシ。
【発明の詳細な説明】
【技術分野】
【０００１】
本発明は、既設サッシ枠体の室外側に後付けする後付サッシに関する。
【背景技術】
【０００２】
従来の後付サッシは、カバー工法により、開口部に取り付けられる窓や雨戸等が嵌められた既設サッシを覆うように後付サッシ枠体が固定され、雨戸等が嵌められている。（例えば、特許文献１参照）。
【先行技術文献】
【特許文献】
【０００３】
【特許文献１】特開２０１４−３７７７３号公報
【発明の概要】
【発明が解決しようとする課題】
【０００４】
近年、台風等の強風により飛来物が窓に直撃して破損する被害が多発している。
【０００５】
戸建やマンションに既に設けられた網戸は、合成樹脂製の網を張ってあって害虫の侵入を防ぐ程度のものであり、台風等の強風による窓の破損を防ぐことができず、また防犯対策としても耐久性が不十分であった。
【０００６】
台風および防犯対策として、既設網戸に加えて雨戸等を取り付けようとする場合、従来のカバー工法では、後付サッシ枠体を既設サッシ枠体の全体を覆うように外壁に固定し、固定された後付サッシ枠体に雨戸等を納めていた。
【０００７】
しかしながら、従来の技術においては、後付サッシ枠体を外壁に固定する固定工事の際にねじ止め等の手段を用いるため、外壁を傷つけてしまうという問題があった。
【０００８】
また、既設網戸に加えて雨戸等を取り付けるため全体としての障子数が増加することで、美観性を損なう場合があるという問題があった。
また、高層マンションにおいては、後付サッシ枠体の固定工事の施工が容易ではなく、かかるコスト負担が増大するという問題があった。
【０００９】
そこで、本発明では、外壁を傷付けずに後付サッシ枠体を既設サッシ枠体に簡単かつ低コストで取り付け、後付サッシ枠体に既設網戸に代えて耐久性の高い金網戸を嵌めることにより、障子数の増加を最小限に抑えて美観性を保ちつつ耐久性を向上させた後付サッシを提供することを目的とする。
【課題を解決する為の手段】
【００１０】
そのため、既設サッシ枠体に取り付ける後付サッシであって、前記既設サッシ枠体の網戸用のレールに嵌める突条溝と、前記既設サッシ枠体に固定する固定片と、少なくとも２枚建てからなる内外金網戸を案内する案内片を有することを特徴とする。
【発明の効果】
【００１１】
このようにした本発明は、外壁を傷付けることなく、美観性を保ちつつ耐久性を向上させた後付サッシを提供することができるという効果が得られる。
【図面の簡単な説明】
【００１２】
【図１】実施例における後付サッシ枠体の取り付け図
【図２】実施例における後付サッシ枠体を屋外側から見た場合の概略斜視図
【図３】実施例における後付下枠の説明図
【図４】実施例における後付サッシ枠体の断面方向から見た取り付け方法の説明図
【図５】実施例における後付上下枠の既設上下枠への固定・取付方法についての説明図
【図６】実施例における３本以上のレールを有する後付サッシ枠体の取り付け図
【図７】実施例における支持材を有する後付サッシ枠体の取り付け図
【発明を実施するための形態】
【００１３】
以下、図面を参照して本発明による後付サッシ枠体の実施例を説明する。
【実施例１】
【００１４】
図１は実施例における後付サッシ枠体の取り付け図である。
【００１５】
図１において、後付サッシ１は、建物の開口部に納められるものであり、四角枠の後付サッシ枠体２と、後付サッシ枠体２に設けられたレール１６に納められた引き違い用の金網戸３から構成される。
【００１６】
後付サッシ枠体２を、既設上枠４１と既設下枠４２と既設縦枠４３からなる既設サッシ枠体４の屋外側に取り付けることで、新たに２枚の引き違い用の障子の開閉（図中矢印Ａで示す方向）が可能になる。
【００１７】
図２は実施例における後付サッシ枠体の概略斜視図である。
【００１８】
図２において、後付サッシ枠体２は、後付上枠１１と、後付下枠１２と、２つの後付縦枠１９とを有している。
【００１９】
図３は実施例における後付下枠の説明図である。なお、図３（ａ）は後付下枠の概略斜視図であり、図３（ｂ）は後付下枠の断面図である。
以下、後付上枠１１および後付下枠１２は、同じ構成であるため、後付下枠１２を代表に説明する。
【００２０】
図３において、後付上下枠としての後付上枠１１および後付下枠１２は、既設上下枠としての既設上枠４１および既設下枠４２に取り付けられるものであり、突条溝１３と、案内片１５と、固定片１７とを一体的に備えるものである。
【００２１】
突条溝１３は、上方に突条が形成され、その突条溝と既設上下枠の室外方向における最も外側に設けられた従来の網戸レールとしてのレール４４が嵌合するものである。
また、突条溝１３は、金網戸３の開閉方向（図中矢印Ａ方向）に延伸しており、突条溝と従来の網戸レールが嵌合することにより、既設上下枠に取り付けられる。
【００２２】
また、突条溝１３は、その断面形状が略Ｕ字型であり、略Ｕ字型の折り返し部１４を介して後述する案内片１５および固定片１７に接続され一体に構成されている。
【００２３】
以下、突条溝１３と案内片１５を接続する折り返し部１４を第１の折り返し部とし、突条溝１３と固定片１７を接続する折り返し部１４を第２の折り返し部として説明する。
【００２４】
また、第１の折り返し部は、第２の折り返し部より下方に位置するものとする。
【００２５】
本実施例では、第１の折り返し部と第２の折り返し部との位置関係によって、後付サッシ枠体に納めることができる障子のサイズを調整することができる。
【００２６】
案内片１５は、突条溝１３から室外方向（図中矢印Ｂで示す）に延出し金網戸３を案内するレール１６を有するものである。
【００２７】
また、案内片１５は、突条溝１３の第１の折り返し部から室外方向に延出しており、金網戸３を納めるために所定の間隔を隔てた２本のレール１６を有し、２枚の内外金網戸が引き違いできるようになっている。
【００２８】
固定片１７は、突条溝１３の室内方向（図中矢印Ｃで示す）に延出し既設上下枠に固定されるものである。
【００２９】
また、固定片１７は、第２の折り返し部から室内方向に延出し既設上下枠の表面に重合して覆うものであり、例えばビス４５止め等の手段により既設上下枠に固定される。
本実施例では、固定片１７の室内方向における幅は、既設上下枠に設けられたレール間の距離よりも小さいものとして説明するが、それに限定されず、ビス４５止め等の手段による固定が可能な幅であれば良い。
【００３０】
後付縦枠１９は、縦枠突条溝２０と、縦枠固定片２１とを有する。
【００３１】
縦枠突条溝２０は、金網戸３が納められるように、後付上下枠の案内片１５に対応して室外方向に張り出すものであり、既設縦枠４３の外枠に嵌めることで取り付けられる。
【００３２】
縦枠固定片２１は、上述した固定片１７と同様な構成のため説明を省略する。
【００３３】
すなわち、後付サッシ枠体２は、後付上下枠により既設上下枠に固定され、後付縦枠１９により既設縦枠４３に固定されることで、既設サッシ枠体４に取り付けられる。
【００３４】
金網戸３は、引き違い用の例えばメタルパンチング網戸である。
【００３５】
これは、後付サッシ枠体２に、耐久性の高い金網戸３を使用することにより、通気性を保持したまま防犯性をも向上させるためである。
【００３６】
本実施例では、金網戸３として説明するが、それに限定されず、コンパネやアクリル板も使用でき、台風等による窓の破損を抑制することができる。
【００３７】
すなわち、ユーザが所望する用途・目的に応じて後付サッシ枠体２に後付けする障子を選択することができる。
【００３８】
次に、後付サッシ枠体２の取り付け方法について説明する。
【００３９】
図４は実施例における後付サッシ枠体の断面方向から見た取り付け方法の説明図である。なお、図４（ａ）において、既設サッシ枠体４は、建物の開口部に納められており、室外方向に、２枚の引き違い窓、網戸の順でそれぞれに対応するレール４４が設けられている。
【００４０】
まず、図４（ａ）に示すように、既設上下枠の最も室外側のレール４４に納められた網戸を取り外す。
【００４１】
次に、図４（ｂ）に示すように、後付サッシ枠体２の後付上下枠を既設上下枠に固定して取付ける。また、併せて後付縦枠を既設縦枠に固定して取付ける。
【００４２】
次に、後付上下枠の既設上下枠への固定・取付方法について説明する。なお、後付上枠４１および後付下枠４２で取り付け方法は同様のため、後付下枠１２を代表に説明する。
図５（ａ）は断面方向から見た場合の後付下枠１２の既設下枠４２への取り付け方法を説明するものであり、図５（ｂ）は断面方向から見た場合の後付縦枠１９の既設縦枠４３への取り付け方法を説明するものである。
【００４３】
図５（ａ）において、後付下枠１２は、突条溝１３が既設下枠４２の室外方向における
最も外側に設けられた網戸用のレール４４を覆うように嵌められ、固定片１７が既設上枠４１にビス４５止めされることにより、既設下枠４２に固定される。
【００４４】
また、固定片１７のビス４５止めは、既設下枠４１の網戸の開閉方向における長さに応じて複数個所行われるものとする。
【００４５】
また、固定片１７の室内方向における幅は、既設下枠４２の室外方向における最も外側に設けられた網戸用のレール４４と、該網戸用のレール４４に対向する室内側に設けられた外窓用のレールとの間の距離よりも小さい。
【００４６】
図５（ｂ）において、後付縦枠１９は、縦枠突条溝２０が既設縦枠４３の外枠を覆うように嵌められ、縦枠固定片２１が既設縦枠４３にビス４５止めされるにより固定される。
【００４７】
なお、本実施例では、後付縦枠１９は後付上下枠と同様な突条溝１３および固定片１７を有するものとして説明するが、それに限定されず、後付上下枠の案内片１５に対応して室外側に張り出すものであれば良い。すなわち、後付縦枠１９は、後付上下枠と組んで枠体２内に２枚の内外金網戸３が納められるように構成されていれば良い。
【００４８】
上述した後付上下枠と後付縦枠１９からなる後付サッシ枠体２が既設サッシ枠体４に取り付けられる。
【００４９】
次に、図４（ｃ）に示すように、２枚の内外金網戸が後付サッシ枠体２に納められる。
後付上枠１１に設けられた案内片１５には内外金網戸の上端部が係合し、後付下枠１２に設けられた案内片１５には内外金網戸の下端部が係合することにより、内外金網戸が摺動可能に納められる。
【００５０】
このように、本実施例では、既設サッシ枠体４に後付サッシ１の後付サッシ枠体２を取り付け金網戸３を納めることにより、後付サッシ１を、外壁６０への固定等の躯体を傷付ける工事を要さず、かつ簡単・低コストで既設サッシ枠体４に取り付けることができる。
【００５１】
従来のカバー工法では既設網戸に加えて雨戸等が追加されていたのに対して、本実施例では、既設下枠４２の室外方向における最も外側に設けられた網戸用のレール４４に嵌められた既設網戸を取り除いたうえで金網戸を嵌めることができ、全体としての障子数を最小限にでき美観性を保つことができる。
【００５２】
また、後付サッシ枠体２の取り付けにより２枚の内外金網戸の開閉が可能になることにより、内外金網戸に対して室内側から施錠できる施錠機構（例えば、落とし金具等）を設けることで防犯性を向上させることができる。
【００５３】
また、後付サッシ枠体２に２枚の内外雨戸を納めることで、引き違い窓全面を守ることができ、台風等による窓ガラスの破損を抑制することができる。
【００５４】
なお、本実施例では、後付サッシ枠体２の案内片１５は２本のレール１６を有するとして説明したが、それに限定されず、３本以上のレールを有するようにしても良い。
【００５５】
図５に示すように、後付サッシ枠体２の案内片１５が３本のレールを有する場合、３枚の金網戸３を納めることが可能になり、室内側１枚を金網戸として使用し、その他を引き違いアクリル板と使用する等、ユーザの要求に応じた障子の組み合わせが可能になる。
【００５６】
また、後付サッシ枠体２の後付下枠１２の下方から外壁６０に向かって傾斜する支持材５０を取り付けるようにしても良い。
【００５７】
この場合、後付下枠１２は支持材５０を固定するための支持材固定部１８を有し、支持材５０は外壁６０に当接して後付サッシ枠体２を保持することにより、３枚以上の金網戸３を納める後付サッシ枠体２を取り付ける場合の安定性を向上させることができる。
【００５８】
以上説明したように、本実施例では、既設上下枠を含む既設サッシ枠体４に取り付ける後付サッシ枠体２を含む後付サッシ１であって、既設サッシ枠体４の既設上下枠に設けられた網戸用のレール４４に嵌める突条溝１３と、既設サッシ枠体４に固定する固定片１７と、少なくとも２枚建てからなる内外金網戸を案内する案内片とを有することにより、外壁６０を傷付けることなく、障子数の増加を最小限に抑えて美観性を保ちつつ耐久性を向上させた後付サッシを提供することができるという効果が得られる。
【００５９】
また、本実施例では、後付サッシ枠体２を取り付けることで、ユーザの要求に応じて金網戸や雨戸等の引き違い障子を納めることが可能になるという効果が得られる。
【００６０】
また、後付サッシ枠体２に雨戸を納めることで、台風等の災害による窓の破損を抑制することができるという効果が得られる。
また、後付サッシ枠体２に金網戸を納めることで、防犯性を向上させることができるという効果が得られる。
【符号の説明】
【００６１】
１      後付サッシ
２      後付サッシ枠体
３      金網戸
４      既設サッシ枠体
１１    後付上枠
１２    後付下枠
１３    突条溝
１４    折り返し部
１５    案内片
１６    レール
１７    固定片
１８    支持材固定部
１９    後付縦枠
２０    縦枠突条溝
２１    縦枠固定片
４１    既設上枠
４２    既設下枠
４３    既設縦枠
４４    レール
４５    ビス
５０    支持材
６０    外壁
【要約】      （修正有）【課題】後付サッシ枠体を外壁に固定する固定工事の際にねじ止め等の手段を用いるため、外壁を傷つけてしまうという問題があった。【解決手段】既設サッシ枠体４に取り付ける後付サッシ１であって、既設サッシ枠体４の網戸用のレール１６に嵌める突条溝と、既設サッシ枠体４に固定する固定片と、少なくとも２枚建てからなる内外金網戸３を案内する案内片を有する。【選択図】図１【図１】
0006954518.tif 000002
【図２】
0006954518.tif 000003
【図３】
0006954518.tif 000004
【図４】
0006954518.tif 000005
【図５】
0006954518.tif 000006
【図６】
0006954518.tif 000007
【図７】
0006954518.tif 000008